(57)【要約】  【課題】  引戸本体の厚さが薄い場合であっても、凹部のフランジ面からの深さを十分に深くすることができ、使い勝手に優れる引戸用掘り込み引手及びそれを装着した引戸を提供すること。  【解決手段】指がかかる、底部と側部から形成される凹部１４と、凹部１４の前端から外側に延出する鍔状のフランジ１１とからなるものであって、底部１２の側面視断面形状が、傾斜形状である引戸用掘り込み引手１。【選択図】        図１
0003109235.tif 000002
【実用新案登録請求の範囲】
【請求項１】
指がかかる、底部と側部から形成される凹部と、
該凹部の前端から外側に延出する鍔状のフランジとからなるものであって、
該底部の側面視断面形状が、一部傾斜形状又は全部傾斜形状であることを特徴とする引戸用掘り込み引手。
【請求項２】
前記底部の側面視において、該底部の上端から下端に至る全面又は一部が、前記フランジ面からの深さが漸次減少又は漸次増加するものであることを特徴とする請求項１記載の引戸用掘り込み引手。
【請求項３】
前記底部の上端から下端に至る一部が、前記フランジ面からの深さが漸次減少又は漸次増加する形状は、該底部の上端近傍及び下端近傍が前記フランジ面からの深さが一定の垂直面と、該底部の上端近傍及び下端近傍以外の領域が前記フランジ面からの深さが漸次減少又は漸次増加する傾斜面とからなる形状であることを特徴とする請求項２記載の引戸用掘り込み引手。
【請求項４】
前記底部の上端から下端までの鉛直方向における長さに対する傾斜面部分が占める鉛直方向における長さ比率が、７０％以上９５％以下であることを特徴とする請求項３記載の引戸用掘り込み引手。
【請求項５】
請求項１〜４記載引戸用掘り込み引手の一対を、引戸本体の両側面に、上下互い違いで且つ前記底板の裏面が対向するように付設されることを特徴とする引戸。
【請求項６】
前記凹部における引戸本体の表面から底部までの最深の深さ寸法が、該引戸本体の厚さ寸法の１／２より大きいことを特徴とする請求項５記載の引戸。
【考案の詳細な説明】
【技術分野】
【０００１】
本考案は、指が掛かり易い引戸用掘り込み引手及び引戸である。
【背景技術】
【０００２】
従来の引戸用掘り込み引手は、指がかかる、底部と側部から形成される凹部と、該凹部の周りのフランジからなる一体化物であり、該底部は、側面視で直線形状である。すなわち、該凹部におけるフランジ面から底部までの深さはいずれの箇所においても概ね同じである。従って、引戸本体の両面に付設される引戸用掘り込み引手の場合、凹部の引戸本体表面から底部までの深さは、引戸本体の厚さの半分以下の寸法であった。
【考案の開示】
【考案が解決しようとする課題】
【０００３】
しかしながら、従来の引戸本体の両面に付設される引戸用掘り込み引手の場合、取り付けられる引戸本体の厚さが薄い場合、凹部のフランジ面から底部までの深さはそれに応じて浅くせざるを得ない。これでは、引戸用掘り込み引手に指を掛けて引戸を引く際、引き難く、また、指が外れることで指に怪我をしたり、爪で引戸用掘り込み引手を傷付けたりする等の問題があった。
【０００４】
従って、本考案の目的は、引戸本体の厚さが薄い場合であっても、凹部のフランジ面から底部までの深さを十分に深くすることができ、使い勝手に優れる引戸用掘り込み引手及びそれを装着した引戸を提供することにある。
【課題を解決するための手段】
【０００５】
かかる実情において、本考案者は鋭意検討を行った結果、指がかかる、底部と側部から形成される凹部と、該凹部の前端から外側に延出する鍔状のフランジからなるものであって、該底部の側面断面形状が、一部傾斜形状又は全部傾斜形状である引戸用掘り込み引手とし、これを引戸本体の両側から上下を互い違いに付設すれば、引戸本体の厚さが薄い場合であっても、凹部のフランジ面から底部までの深さを十分に深くすることができ、使い勝手に優れることを見出し、本考案を完成するに至った。
【０００６】
すなわち、本考案は、指がかかる、底部と側部から形成される凹部と、該凹部の前端から外側に延出する鍔状のフランジとからなるものであって、該底部の側面視断面形状が、一部傾斜形状又は全部傾斜形状である引戸用掘り込み引手を提供するものである。
【０００７】
また、本考案は、前記底部の側面視において、該底部の上端から下端に至る全面又は一部が、前記フランジ面からの深さが漸次減少又は漸次増加するものである前記引戸用掘り込み引手を提供するものである。
【０００８】
また、本考案は、前記底部の上端から下端に至る一部が、前記フランジ面からの深さが漸次減少又は漸次増加する形状は、該底部の上端近傍及び下端近傍が前記フランジ面からの深さが一定の垂直面と、該底部の上端近傍及び下端近傍以外の領域が前記フランジ面からの深さが漸次減少又は漸次増加する傾斜面とからなる形状である前記引戸用掘り込み引手を提供するものである。
【０００９】
また、本考案は、前記底部の上端から下端までの鉛直方向における長さに対する傾斜面部分が占める鉛直方向における長さ比率が、７０％以上９５％以下である記引戸用掘り込み引手を提供するものである。
【００１０】
また、本考案は、前記引戸用掘り込み引手の一対を、引戸本体の両側面に、上下互い違いで且つ前記底板の裏面が対向するように付設される引戸を提供するものである。
【００１１】
また、本考案は、前記凹部における引戸本体の表面から底部までの最深の深さ寸法が、該引戸本体の厚さ寸法の１／２より大きい前記引戸を提供するものである。
【考案の効果】
【００１２】
本考案の引戸用掘り込み引手及び引戸によれば、引戸本体の厚さが薄い場合であっても、凹部のフランジ面から底部までの深さを十分に深くすることができる。このため、引戸用掘り込み引手に指を掛けて引戸を引く際、引き易く、また、指が外れることで指に怪我をしたり、爪で引戸用掘り込み引手を傷付けたりすることがない。
【考案を実施するための最良の形態】
【００１３】
次に、本考案の実施の形態における引戸用掘り込み引手を図１〜図７を参照して説明する。図１は本例の引戸用掘り込み引手の斜視図、図２は本例の引戸用掘り込み引手の正面図、図３は本例の引戸用掘り込み引手の背面図、図４は本例の引戸用掘り込み引手の平面図、図５は本例の引戸用掘り込み引手の右側面図、図６は図２のＡ−Ａ線に沿って見た図、図７は本例の引戸用掘り込み引手の分解図である。なお、本明細書において、「上」とは引戸に引戸用掘り込み引手が付設された状態における上方を言い、「下」とは引戸に引戸用掘り込み引手が付設された状態における下方を言う。
【００１４】
図中、引戸用掘り込み引手１は、指がかかる、底部１２と側部１３から形成される凹部１４と、凹部１４の前端から外側に延出する鍔状のフランジ１１とからなるものであって、底部１２の側面視断面形状における、上下両端近傍を除く大部分が、上方から下方にかけて、後方下がり傾斜形状である。すなわち、底部１２の側面視形状は、上端１５から下端１６に至る底部１２のほぼ大部分（Ｘ領域）が、フランジ面１９から底部までの深さｈが上下方向に向けて漸次増加するものである。これにより、凹部１４における底部までの深さが最深となる部分は引戸用掘り込み引手１の下方側となる（図６参照）。なお、底部１２の上方端近傍Ｙ１及びその上方、並びに下方端近傍Ｙ２及びその上方は垂直面である。これにより、引戸用掘り込み引手本体部材２ａに底板１２ａの螺子２２止めが容易となる。なお、符号２１は抜け防止の爪、２３は固定用の釘穴である。
【００１５】
引戸用掘り込み引手１において、底部１２の鉛直方向の長さに対して、傾斜面が占める鉛直方向における長さとしては、７０〜９５％、好ましくは９０％前後で適宜決定される。本例では、上方端近傍Ｙ１、下方端近傍Ｙ２、Ｘ領域の鉛直方向における長さ比率は、１：１：２７である。また、傾斜面の傾斜角度としては、特に制限されないが、鉛直方向に対して６度前後が、螺子穴を形成することができ、且つ本考案の効果を奏することができる点で好ましい。
【００１６】
本考案においては、底部１２の側面視断面形状が、全部傾斜形状、すなわち、底部１２の上端１５から下端１６に至る全面が、フランジ面１９から底部までの深さｈが漸次増加するものであってもよい。また、底部１２の側面視断面形状は、上記実施の形態例とは逆となる下方から上方にかけて、後方下がり傾斜形状であってもよい。この場合、凹部１４における深さが最深となる部分は引戸用掘り込み引手１の上方側となる。
【００１７】
引戸用掘り込み引手１は、引手本体部材２ａに底板１２ａを螺子２２で止めることで得られる。これにより、複雑な底部形状を有する凹部１４を２つの部材で容易に形成することができる。すなわち、引手本体部材２ａは、底部が開口した側部１３と、側部１３の前端から外側に延出する鍔状のフランジ１１とからなり、側部１３の上方部と下方部は肉厚として、四隅に雌螺子２４、２４、２４、２４を形成したものである。また、底板１２ａは上方端近傍Ｚ１（符号１７から上方部分）及び下方端近傍Ｚ２（符号１８から下方部分）は垂直面であり、上方端近傍Ｚ１及び下方端近傍Ｚ２を除く、中央部分Ｘは傾斜面であり、四隅には螺子２２が通る螺子穴２５、２５、２５、２５が形成されている（図７参照）。本例の場合、上方端近傍Ｚ１、下方端近傍Ｚ２、中央部分Ｘの鉛直方向における長さ比率は、１：１：７である。なお、本考案の引戸用掘り込み引手において、引手本体と底板は、上記実施の形態例のように、別部材に限定されず、一体成形物であってもよい。
【００１８】
次に、本考案の実施の形態における引戸を図８を参照して説明する。図８は、本例の引戸の一部を破断して示す斜視図である。なお、図８中、引戸用掘り込み引手の断面を示す斜線は簡略化のため省略した。また、図８において、図１〜図７と同一構成要素には同一符号を付して、その説明を省略し、異なる点について説明する。引戸用掘り込み引手１は同じ形状のものが一対で使用される。すなわち、引戸１ａは、引戸用掘り込み引手１、１を、引戸本体３の両側面３１、３１に、上下互い違いで且つ底板１２ａ、１２ａの裏面が対向するように付設される。これにより、引戸用掘り込み引手１、１は互いの凹部１４、１４の最深部分と最浅部分が、それぞれ上方部分と下方部分で対向するようになる。
【００１９】
引戸用掘り込み引手１において、凹部１４における引戸本体３の側表面３１から底部までの最深の深さ寸法は、引戸用掘り込み引手１が付設される場所における引戸本体３の厚さ寸法の１／２より大きい。これにより、引戸本体の厚さが薄い場合であっても、凹部のフランジ面から底部までの深さを十分に深くすることができる。
【００２０】
本実施の形態における引戸１ａにおいて、引戸本体は、公知のものが使用できる。また、引戸本体３に引戸用掘り込み引手１を取り付けるには、固定用の釘（不図示）を固定用の釘穴２３から打ち付けて固定すればよい。
【００２１】
本例の引戸用掘り込み引手１及び引戸１ａによれば、引戸本体の厚さが薄い場合であっても、凹部のフランジ面からの深さを十分に深くすることができる。このため、引戸用掘り込み引手に指を掛けて引戸を引く際、引き易く、また、指が外れることで指に怪我をしたり、爪により引戸用掘り込み引手を傷付けたりすることがない。また、簡易な構造であるため、コストアップになることもない。
【図面の簡単な説明】
【００２２】
【図１】本実施の形態例の引戸用掘り込み引手の斜視図である。
【図２】本実施の形態の引戸用掘り込み引手の正面図である。
【図３】本実施の形態の引戸用掘り込み引手の背面図である。
【図４】本実施の形態の引戸用掘り込み引手の平面図である。
【図５】本実施の形態の引戸用掘り込み引手の右側面図である。
【図６】図２のＡ−Ａ線に沿って見た図である。
【図７】本実施の形態の引戸用掘り込み引手の分解図である。
【図８】本実施の形態の引戸の一部を破断して示す斜視図である。
【符号の説明】
【００２３】
１      引戸用掘り込み引手
１ａ    引戸
２      引手本体
２ａ    引手本体部材
３      引戸本体
１１    鍔状のフランジ
１２    底部
１２ａ  底板
１３    側部
１４    凹部
１５    底部の上端
１６    底部の下端
１９    フランジ面
２１    抜け防止の爪
２２    螺子
２３    固定用の釘穴
Ｙ１        底板の上方端近傍
Ｙ２        底板の下方端近傍
【図１】
0003109235.tif 000003
【図２】
0003109235.tif 000004
【図３】
0003109235.tif 000005
【図４】
0003109235.tif 000006
【図５】
0003109235.tif 000007
【図６】
0003109235.tif 000008
【図７】
0003109235.tif 000009
【図８】
0003109235.tif 000010